(57)【特許請求の範囲】
【請求項１】
パチンコ機の本体枠の前面側に前面扉を開閉可能に取り付けたパチンコ機において、
前記本体枠側に弾性変形可能に形成される発射レール用アース用導電部材が設けられて該発射レール用アース用導電部材の一端側が前記本体枠側に設けられる発射レールが固定された発射レール固定用板金に固定されることにより当該発射レール用アース用導電部材と前記発射レールとが前記発射レール固定用板金を介して電気的に接続され、
前記前面扉が閉鎖されたときに前記発射レール用アース用導電部材の他端側が前記前面扉側の導電部材に接触して電気的に接続されるようにしたことを特徴とするパチンコ機のアース構造。
【請求項２】
前記本体枠側の遊技盤取付用のミドルプレートが導電性樹脂で形成されると共に当該ミドルプレートに前記発射レール固定用板金を介して前記発射レールとパチンコ球が流下する球通路とが取り付けられ、前記発射レール用アース用導電部材とは別の通路用アース用導電部材の一端側が前記ミドルプレートのうちの前記球通路付近に取り付けられることにより当該通路用アース用誘導部材と導電性樹脂の前記ミドルプレートとが電気的に接続され、
前記前面扉が閉鎖されたときに前記通路用アース用導電部材の他端側が前記前面扉側の導電部材に接触して電気的に接続されるようにしたことを特徴とする請求項１記載のパチンコ機のアース構造。
【発明の詳細な説明】
【０００１】
【発明の属する技術分野】
本発明は、パチンコ機の本体枠の前面側に前面扉を開閉可能に取り付けたパチンコ機のアース構造に関するものである。
【０００２】
【従来の技術】
一般に、パチンコ機内のパチンコ球は、球通路を流下する過程で摩擦により静電気が帯電されやすい。このパチンコ球の静電気がパチンコ機の電子部品近傍で放電すると、該電子部品が誤動作したり、最悪の場合には、故障してしまうおそれもある。この対策として、従来より、発射レール等のパチンコ球が接触する組付部品にアース用リード線やアース用板金の一端側を電気的に接続し、このアース用リード線やアース用板金の他端側をヒンジ金具等のグランド側導電部材に電気的に接続することで、パチンコ球に帯電している静電気を取り除くようにしたものがある。
【０００３】
【発明が解決しようとする課題】
しかし、上記従来のアース構造では、パチンコ機を組み立てる際に、アース用リード線やアース用板金の一端側を発射レール等の組付部品にねじ止めや半田付け等で電気的に接続する作業と、アース用リード線やアース用板金の他端側をヒンジ金具等のグランド側導電部材にねじ止めや半田付け等で電気的に接続する作業とが必要となるため、アース接続の作業に手間が掛かり、その分、組立能率が低下して製造コストが高くなるという欠点があった。特に、パチンコ機の本体枠の下部前面側に位置する組付部品のアース接続は、本体枠の下部前面側のスペースが比較的狭いこともあって、アース用リード線やアース用板金が設置できる場所が限定されてしまい、上述した欠点が顕著に現れる。
【０００４】
本発明はこのような事情を考慮してなされたものであり、従ってその目的は、組付部品をアース接続するための作業を簡単化することができて、パチンコ機の組立性を向上することができるパチンコ機のアース構造を提供することにある。
【０００５】
【課題を解決するための手段】
上記目的を達成するために、本発明の請求項１のパチンコ機のアース構造は、パチンコ機の本体枠の前面側に前面扉を開閉可能に取り付けたパチンコ機において、本体枠側に弾性変形可能に形成される発射レール用アース用導電部材が設けられて該発射レール用アース用導電部材の一端側が本体枠側に設けられる発射レールが固定された発射レール固定用板金に固定されることにより当該発射レール用アース用導電部材と発射レールとが発射レール固定用板金を介して電気的に接続され、前面扉が閉鎖されたときに発射レール用アース用導電部材の他端側が前面扉側の導電部材に接触して電気的に接続される構成としたものである。
【０００６】
この構成では、パチンコ機の組立時に、本体枠側の発射レール固定用板金に発射レール用アース用導電部材の一端側を適宜の固定方法（例えばねじ止め、半田付け、かしめ等）により電気的に接続した状態に取り付けて固定する。そして、パチンコ機の前面扉を閉鎖すれば、発射レール用アース用導電部材の他端側が前面扉側の導電部材に接触して電気的に接続され、本体枠側の発射レールのアース接続が完了する（本体枠側の発射レールを発射レール用アース用導電部材と前面扉側の導電部材とを介してアース接続する）。これにより、従来のアース構造に比べて発射レール用アース用導電部材をねじ止め等により電気的に接続する作業を少なくすることができて、アース接続に要する作業時間を短縮することができる。
【０００７】
この場合、発射レール用アース用導電部材は、弾性変形可能に形成すると良い。このようにすれば、前面扉を閉鎖して発射レール用アース用導電部材を相手側に接触させたときに、発射レール用アース用導電部材を弾性変形させて相手側に適度な弾性力で圧接させることができ、発射レール用アース用導電部材の電気的接続の信頼性を向上することができる。
【０００８】
また、パチンコ機の部品の中でも特に静電気の帯電しやすく、また発生しやすい部品の１つである発射レールのアース接続を簡単化することができる。
【０００９】
この場合、発射レールに、直接、アース用導電部材を取り付けるようにしても良いが、取付方法によっては、前面扉の閉鎖時にアース用導電部材に加わる力が発射レールに作用して、発射レールが微妙に変形し発射球の発射方向が微妙に変化してしまう可能性がある。
【００１０】
その対策として、発射レール用アース用導電部材を、発射レールが固定された発射レール固定用板金に取り付けるようにしても良い。このようにすれば、前面扉の閉鎖時に発射レール用アース用導電部材に加わる荷重を発射レール固定用板金で受け止めて、その荷重が発射レールに作用することを回避することができるので、発射レールの変形を防止できて、発射球の発射方向を安定させることができる。
【００１１】
また、請求項２のように、本体枠側の遊技盤取付用のミドルプレートを導電性樹脂で形成されると共に当該ミドルプレートに発射レール固定用板金を介して発射レールとパチンコ球が流下する球通路とが取り付けられ、発射レール用アース用導電部材とは別の通路用アース用導電部材の一端側がミドルプレートのうちの球通路付近に取り付けられることにより当該通路用アース用誘導部材と導電性樹脂のミドルプレートとが電気的に接続され、前面扉が閉鎖されたときに通路用アース用導電部材の他端側が前面扉側の導電部材に接触して電気的に接続されるようにしても良い。このようにすれば、ミドルプレート及びミドルプレートに組み付けられた各部品に帯電した静電気を逃がすことができ、パチンコ機の各部の静電気を一括して除去することができる。
【００１２】
そして、ミドルプレートに、パチンコ球が流下する球通路が設けられている場合は、通路用アース用導電部材を、ミドルプレートのうちの球通路付近に取り付けている。ミドルプレートの球通路付近は、パチンコ球の流下時の摩擦により静電気が帯電しやすいので、ミドルプレートの球通路付近に通路用アース用導電部材を取り付ければ、パチンコ球の流下時の摩擦により発生する静電気を効果的に除去することができる。
【００１３】
【発明の実施の形態】
以下、本発明の一実施形態を図面に基づいて説明する。まず、図６に基づいてパチンコ機の前面側の構成を概略的に説明する。パチンコ機の本体枠１１には、各部品を組み付けるミドルプレート１２（図２参照）が取り付けられ、このミドルプレート１２の上部に、遊技盤１３が取り付けられている。この遊技盤１３に、センター役物、入賞口、入賞装置等（図示せず）が設けられている。
【００１４】
また、本体枠１１の上部前面側（遊技盤１３の前面側）には、ガラス扉１４が開閉可能に取り付けられ、本体枠１１の下部前面側には、前面パネル１５（前面扉）が開閉可能に取り付けられている。この前面パネル１５に、パチンコ球を貯溜する上皿１６が設けられ、前面パネル１５の下方に下皿１７が設けられている。下皿１７の右方には、球発射装置１８（図２参照）の発射操作ハンドル１９が設けられている。
【００１５】
図１及び図２に示すように、ミドルプレート１２の下部前面（前面パネル１５の後方）には、発射レール固定用板金２０がねじ２１で締め付け固定されている。この発射レール固定用板金２０の前面に、少なくとも一部が金属又は導電性部材で形成された断面略Ｍ字形の発射レール２２がねじ２３で締め付け固定され、この発射レール２２によって、球発射装置１８で発射されたパチンコ球が遊技盤１３に案内される。更に、発射レール固定用板金２０の前面には、弾性変形可能な導電性板材で形成された板ばね状のアース用板金２４（アース用導電部材）が取り付けられて、アース用板金２４と発射レール２２とが、発射レール固定用板金２０を介して電気的に接続されている。
【００１６】
アース用板金２４は、弾性のある導電性の金属板（例えばステンレス板、りん青銅板等）を折曲加工して、発射レール固定用板金２０に固定される取付片部２４ａと、この取付片部２４ａから斜め前方に延びるように設けられたリード片部２４ｂと、このリード片部２４ｂの先端に設けられた接触片部２４ｃとが一体に形成されている。アース用板金２４は、取付片部２４ａに形成された貫通孔２５（図３参照）に、発射レール固定用板金２０を固定するねじ２１を挿通して共締めされている。
【００１７】
尚、図２に示すように、ミドルプレート１２の下部前面の右端部には、上下方向にスライド可能なフック部３４が設けられ、前面パネル１５には、該フック部３４と係合する係合部（図示せず）が設けられてる。これらフック部３４と係合部で前面パネル１５の開閉ロック機構が構成されている。
【００１８】
一方、図１に示すように、前面パネル１５の裏面には、上皿１６を支持するための上皿板金２６（導電部材）が設けられ、この上皿板金２６が、ヒンジ金具３５（図２参照）等のグランド側導電部材に電気的に接続されている。前面パネル１５を閉鎖したときに、アース用板金２４の接触片部２４ｃが上皿板金２６の裏面に当たって、アース用板金２４が弾性変形することで、アース用板金２４の接触片部２４ｃが上皿板金２６の裏面に適度な弾性力で圧接して、アース用板金２４と上皿板金２６とが電気的に接続される。
【００１９】
これにより、発射レール２２が、発射レール固定用板金２０、アース用板金２４、上皿板金２６を介してアース接続されるため、球発射装置１８で発射されたパチンコ球が発射レール２２に接触することで、パチンコ球に帯電した静電気を取り除くことができる。また、球発射装置１８で発射されたパチンコ球と発射レール２２との摩擦により発生した静電気も除去することができる。また、アース用板金２４は、前面パネル１５（上皿板金２６）を前面側に押圧しているので、前面パネル１５のがたつきを小さくすることができる。
【００２０】
尚、前面パネル１５を閉鎖してアース用板金２４が上皿板金２６に当たって弾性変形したときに、アース用板金２４が本体枠１１に設けられた金属枠３３（図１参照）にも接触して、発射レール２２が、発射レール固定用板金２０、アース用板金２４、金属枠３３の経路でもアース接続されるようにしても良い。
【００２１】
また、図２及び図４に示すように、ミドルプレート１２の下部前面の左側部には、球払出装置（図示せず）から払い出されたパチンコ球が流下する球通路２７が形成されている。本実施形態では、ミドルプレート１２が導電性樹脂で形成され、このミドルプレート１２のうちの球通路２７付近に、弾性変形可能な板ばね状のアース用板金２８（アース用導電部材）が取り付けられて、アース用板金２８とミドルプレート１２とが電気的に接続されている。
【００２２】
アース用板金２８は、弾性のある導電性金属板（例えばステンレス板、りん青銅板等）を折曲加工して、ミドルプレート１２に固定される取付片部２８ａと、この取付片部２８ａから前方に延びるように設けられたリード片部２８ｂと、このリード片部２８ｂの先端に設けられた接触片部２８ｃとが一体に形成されている。アース用板金２８は、取付片部２８ａに形成された貫通孔２９（図５参照）に、ねじ３０を挿通してミドルプレート１２に締め付け固定されている。
【００２３】
一方、図４に示すように、前面パネル１５の裏面側には、ミドルプレート１２の球通路２７に対応する位置に球出口３１が設けられ、球通路２７を流下したパチンコ球が、この球出口３１を通って上皿１６内に流入するようになっている。この球出口３１の内壁面は、上皿板金２６に電気的に接続された球出口板金３２（導電部材）で形成され、この球出口板金３２の後端に設けられた接触端子部３２ａが球出口３１の外側に折り曲げられて露出している。
【００２４】
前面パネル１５を閉鎖したときに、アース用板金２８の接触片部２８ｃが球出口板金３２の接触端子部３２ａに当たって、アース用板金２８が弾性変形することで、アース用板金２８の接触片部２８ｃが球出口板金３２の接触端子部３２ａに適度な弾性力で圧接して、アース用板金２８と球出口板金３２（上皿板金２５）とが電気的に接続される。
【００２５】
これにより、ミドルプレート１２が、アース用板金２８、球出口板金３２、上皿板金２６を介してアース接続されるため、ミドルプレート１２及びミドルプレート１２に組み付けられた各部品に帯電した静電気を逃がすことができる。更に、球通路２７を流下したパチンコ球が球出口板金３２に接触することで、パチンコ球に帯電した静電気も取り除くことができる。また、アース用板金２８の適度な弾性力により、球通路２７と球出口３１の位置関係を矯正することができる。
【００２６】
以上のように構成したパチンコ機のアース構造では、パチンコ機の組立時に、発射レール固定用板金２０にアース用板金２４をねじ２１で締め付け固定して、アース用板金２４と発射レール２２とを電気的に接続すると共に、ミドルプレート１２にアース用板金２８をねじ３０で締め付け固定して、アース用板金２８とミドルプレート１２とを電気的に接続する。この後、パチンコ機の前面パネル１５を閉鎖すれば、アース用板金２４の接触片部２４ｃが上皿板金２６に圧接して電気的に接続されて、発射レール２２のアース接続が完了すると共に、アース用板金２８の接触片部２８ｃが球出口板金３２に圧接して電気的に接続されて、ミドルプレート１２のアース接続が完了する。これにより、従来のアース構造に比べてアース用導電部材をねじ止め等により電気的に接続する作業を少なくすることができて、アース接続に要する作業時間を短縮することができ、パチンコ機の組立性を向上することができる。
【００２７】
しかも、本実施形態では、アース用板金２４，２８を、弾性変形可能な板ばね状に形成したので、前面パネル１５を閉鎖してアース用板金２４，２８を相手側に接触させたときに、アース用板金２４，２８を弾性変形させて相手側に適度な弾性力で圧接させることができ、アース用板金２４，２８の電気的接続の信頼性を向上することができる。
【００２８】
また、本実施形態では、発射レール２２用のアース用板金２４を、発射レール固定用板金２０に取り付けるようにしたので、前面パネル１５の閉鎖時にアース用板金２４に加わる荷重を発射レール固定用板金２０で受け止めて、その荷重が発射レール２２に作用することを回避することができるので、発射レール２２の変形を防止できて、発射球の発射方向を安定させることができる。
【００２９】
しかしながら、発射レール２２用のアース用板金２４を、必ずしも発射レール固定用板金２０に取り付ける必要はなく、アース用板金２４を、直接、発射レール２２に共締め等により取り付けるようにしても良い。また、発射レール２２にアース用板金を一体に形成して部品点数を削減するようにしても良い。
【００３０】
また、本実施形態では、ミドルプレート１２を導電性樹脂で形成し、ミドルプレート１２にアース用板金２８を取り付けてアース接続するようにしたので、ミドルプレート１２及びミドルプレート１２に組み付けられた各部品に帯電した静電気を逃がすことができ、パチンコ機の各部の静電気をミドルプレート１２を利用して一括して除去することができる。
【００３１】
しかも、本実施形態では、ミドルプレート１２の球通路２７付近は、パチンコ球の流下時の摩擦により静電気が帯電しやすいことを考慮して、ミドルプレート１２の球通路２７付近に、アース用板金２８を取り付けるようにしたので、パチンコ球の流下時に球通路２７付近で発生する静電気を効果的に除去することができる。
【００３２】
尚、上記実施形態では、アース用板金２４，２８を弾性変形可能に形成したが、アース用板金２４，２８は、必ずしも弾性変形可能に形成する必要はなく、例えば、アース用板金２４，２８が接触する相手側（上皿板金２６、球出口板金３２）を弾性変形させるようにしても良い。
【００３３】
また、上記実施形態では、アース用板金２４，２８を本体枠１１側に設けるようにしたが、アース用板金２４，２８を前面パネル１５側に設けて、前面パネル１５の閉鎖時にアース用板金２４，２８を本体枠１１側の組付部品（発射レール２２、ミドルプレート１２）に接触させてアース接続するようにしても良い。
【００３４】
また、上記実施形態では、本発明を、発射レール２２のアース接続とミドルプレート１２のアース接続に適用したが、発射レール２２とミドルプレート１２のうちの一方のアース接続に本発明を適用するようにしても良い。
【００３５】
また、上記実施形態では、ミドルプレート１２を本体枠１１と別体で設けるようにしたが、ミドルプレート１２を本体枠１１に一体的に形成するようにしても良い。また、本発明は、発射レール２２やミドルプレート１２のアース接続に限定されず、その他の種々の組付部品のアース接続に適用することができる。
【００３６】
【発明の効果】
以上の説明から明らかなように、本発明の請求項１のパチンコ機のアース構造によれば、発射レール用アース用導電部材の一端側を本体枠側の発射レールに電気的に接続して設け、前面扉を閉鎖したときに発射レール用アース用導電部材が他方側に接触して電気的に接続されることで、本体枠側の発射レールを発射レール用アース用導電部材と前面扉側の導電部材とを介してアース接続するようにしたので、本体枠側の発射レールのアース接続作業を簡単化して、パチンコ機の組立性を向上することができる。
【００３７】
更に、発射レール用アース用導電部材を弾性変形可能に形成したので、発射レール用アース用導電部材の弾性変形を利用して発射レール用アース用導電部材を相手側に適度な力で圧接させることができ、アース接続の信頼性を向上することができる。
【００３８】
また、発射レールのアース接続を簡単化することができる。
【００３９】
更に、発射レール用アース用導電部材を発射レール固定用板金に取り付けるようにしたので、前面扉の閉鎖時に発射レール用アース用導電部材に作用する荷重で発射レールが変形してしまうのを防止できて、発射球の発射方向を安定させることができる。
【００４０】
また、請求項２では、遊技盤取付用のミドルプレートを導電性樹脂で形成し、このミドルプレートに通路用アース用導電部材を電気的に接続するようにしたので、ミドルプレートを利用してパチンコ機の各部の静電気を一括して除去することができる。
【００４１】
更に、ミドルプレートのうちの球通路付近に通路用アース用導電部材を取り付けるようにしたので、ミドルプレートの球通路付近でパチンコ球流下時の摩擦により発生する静電気を効果的に除去することができる。
【図面の簡単な説明】
【図１】本発明の一実施形態における発射レールのアース構造を示す縦断面図。
【図２】前面パネルを取り付ける前の状態を示すパチンコ機下部の正面図。
【図３】（ａ）は発射レール用のアース用板金の正面図、（ｂ）は同縦断面図。
【図４】ミドルプレートのアース構造を示す横断面図。
【図５】（ａ）はミドルプレート用のアース用板金の正面図、（ｂ）は同横断面図。
【図６】パチンコ機の正面図。
【符号の説明】
１１…本体枠、１２…ミドルプレート、１５…前面パネル（前面扉）、１６…上皿、１７…下皿、２０…発射レール固定用板金、２２…発射レール、２４…アース用板金（アース用導電部材）、２６…上皿板金（導電部材）、２７…球通路、２８…アース用板金（アース用導電部材）、３１…球出口、３２…球出口板金（導電部材）。
【図１】
0004736286.tif 000002
【図２】
0004736286.tif 000003
【図３】
0004736286.tif 000004
【図４】
0004736286.tif 000005
【図５】
0004736286.tif 000006
【図６】
0004736286.tif 000007